(57)【要約】【課題】録画用の内蔵ストレージと保存および再生用の外部ストレージとを有効に活用して大切なコンテンツを保持しつつ新コンテンツを内蔵ストレージに録画できるようにする。【解決手段】この地上デジタルテレビジョン放送受信システムのＤＴＶ１１は、テレビ番組などのコンテンツを録画可能な内蔵ストレージ７４を搭載し、外部に外部ストレージ２５を接続可能である。新番組の録画または録画予約をする際に、既存のコンテンツの中でロックがかかっていないコンテンツを内蔵ストレージ７４から自動的に削除する。削除後内蔵ストレージ７４の空き容量が足りない場合、外部ストレージ２５の接続の有無と空き容量をチェックし、空き容量のある外部ストレージ２５に、既存のコンテンツの中から移動可能なコンテンツだけを自動的に移動して内蔵ストレージ７４の空き容量を増やす。【選択図】図１
2009009668.tif 000002
【特許請求の範囲】
【請求項１】
装置内に搭載され、所定の記憶領域を有する内蔵記録装置と、
録画を指示されたコンテンツを前記内蔵記録装置に録画する録画部と、
前記内蔵記憶装置に記憶された個々のコンテンツに対してロック指定の有無、「削除可」、「移動可」が設定されたコンテンツ管理情報記憶部と、
電子番組表からの録画予約操作またはキー操作により新たなコンテンツの録画予約が指示された場合、前記電子番組表またはキー操作により取得された前記コンテンツの録画時間と予め設定された録画ビットレートとから録画に必要なコンテンツの録画容量を計算する計算部と、
前記計算部により計算された録画容量と前記内蔵記憶装置の空き領域とを比較して前記録画容量を超える空き領域が確保されているか否かを判定する判定部と、
前記判定部による判定の結果、前記内蔵記憶装置に前記録画容量を超える空き領域が確保されない場合に、前記コンテンツ管理情報記憶部を参照してロック無指定でかつ「削除可」のコンテンツを削除して前記内蔵記憶装置の空き領域を増加する削除部と、
前記削除部により「削除可」のコンテンツが削除された場合でも、前記録画容量を超える空き領域を前記内蔵記憶装置に確保できない場合に外部記憶装置の接続の有無とその空き領域の有無をチェックする外部記憶装置チェック部と、
前記外部記憶装置チェック部による前記外部記憶装置のチェックの結果、接続されている前記外部記憶装置に空き領域が存在する場合に、前記コンテンツ管理情報記憶部を参照して、「移動可」と設定されている前記内蔵記憶装置のコンテンツを、前記録画容量を超える空き領域が確保されるまで前記外部記憶装置へ移動する移動部と
を具備することを特徴とするコンテンツ録画装置。
【請求項２】
装置内に搭載され、所定の記憶領域を有する内蔵記録装置と、
録画を予約された時刻に前記内蔵記録装置にコンテンツを録画する録画部と、
前記内蔵記憶装置に記憶された個々のコンテンツに対してロック指定の有無、「削除可」、「移動可」、「移動予約」が設定されたコンテンツ管理情報記憶部と、
電子番組表からの録画予約操作またはキー操作により新たなコンテンツの録画予約が指示された場合、前記電子番組表またはキー操作により取得された前記コンテンツの録画時間と予め設定された録画ビットレートとから録画に必要なコンテンツの録画容量を計算する第１計算部と、
前記第１計算部により計算された録画容量と前記内蔵記憶装置の空き領域とを比較して前記録画容量を超える空き領域が確保されるか否かを判定する第１判定部と、
前記内蔵記憶装置に前記録画容量を超える空き領域を確保できない場合に、前記コンテンツ管理情報記憶部を参照してロック無指定でかつ「削除可」のコンテンツを削除した場合の前記内蔵記憶装置の空き領域を再計算する再計算手段と、
前記再計算手段により再計算された結果、前記録画容量を超える空き領域を前記内蔵記憶装置に確保できない場合に外部記憶装置の接続の有無とその空き領域の有無をチェックする外部記憶装置チェック部と、
前記外部記憶装置チェック部による前記外部記憶装置のチェックの結果、接続されている前記外部記憶装置に空き領域が存在する場合に、前記コンテンツ管理情報記憶部を参照して、「移動可」と設定されている前記内蔵記憶装置のコンテンツを前記外部記憶装置へ移動した場合に増加する前記内部記憶装置の空き領域を算出し、前記録画容量を超える空き領域が前記内蔵記憶装置に確保されるか否かを前記第１判定部に再判定させる第２計算部と、
前記第１判定部による再判定の結果、前記録画容量を超える空き領域が前記内蔵記憶装置に確保される場合に、前記コンテンツ管理情報記憶部の該当コンテンツを「移動予約」に設定すると共に、前記新たなコンテンツの録画開始時刻になる前に「移動予約」の前記内蔵記憶装置のコンテンツを前記外部記憶装置へ移動する移動部と
を具備することを特徴とするコンテンツ録画装置。
【請求項３】
前記電子番組表を表示し、録画操作または録画予約操作を受け付けるための表示器を具備することを特徴とする請求項１または２記載のコンテンツ録画装置。
【請求項４】
録画を指示された時刻に録画部が、装置内に搭載され内蔵記録装置にコンテンツを録画するステップと、
前記内蔵記憶装置に記憶された個々のコンテンツに対してロック指定の有無、「削除可」「削除予約」、「移動可」、「移動予約」を設定するステップと、
電子番組表からの録画予約操作またはキー操作により新たなコンテンツの録画予約が指示された場合、前記電子番組表またはキー操作により取得された前記コンテンツの録画時間と予め設定された録画ビットレートとから録画に必要なコンテンツの録画容量を計算部が計算するステップと、
計算された録画容量と前記内蔵記憶装置の空き領域とを判定部が比較して前記録画容量を超える空き領域が確保されているか否かを判定するステップと、
判定の結果、前記内蔵記憶装置に前記録画容量を超える空き領域が確保できない場合に、削除部がロック無指定でかつ「削除可」と設定されているコンテンツを削除して前記内蔵記憶装置の空き領域を増加するステップと、
「削除可」のコンテンツを削除した後、前記内蔵記憶装置に前記録画容量を超える空き領域を確保できない場合に外部記憶装置チェック部が外部記憶装置の接続の有無とその空き領域の有無をチェックするステップと、
前記外部記憶装置のチェックの結果、接続されている前記外部記憶装置に空き領域が存在する場合に、移動部が、「移動可」と設定されている前記内蔵記憶装置のコンテンツを前記録画容量が確保されるまで前記外部記憶装置へ移動するステップと
を有することを特徴とするコンテンツ録画方法。
【請求項５】
録画を予約された時刻に録画部が、装置内に搭載された内蔵記録装置にコンテンツを録画するステップと、
前記内蔵記憶装置に記憶された個々のコンテンツに対してロック指定の有無、「削除可」、「削除予約」、「移動可」、「移動予約」を設定するステップと、
電子番組表からの録画予約操作またはキー操作により新たなコンテンツの録画予約が指示された場合、前記電子番組表またはキー操作により取得された前記コンテンツの録画時間と予め設定された録画ビットレートとから録画に必要なコンテンツの録画容量を計算部が計算するステップと、
計算された録画容量と前記内蔵記憶装置の空き領域とを判定部が比較して前記録画容量を超える空き領域が確保されるか否かを判定するステップと、
判定の結果、前記内蔵記憶装置に前記録画容量を超える空き領域が確保できない場合に、再計算部がロック無指定でかつ「削除可」と設定されているコンテンツを削除した場合の前記内蔵記憶装置の空き領域を再計算するステップと、
再計算の結果、前記録画容量を超える空き領域が前記内蔵記憶装置に確保されない場合に外部記憶装置の接続の有無とその空き領域の有無を外部記憶装置チェック部がチェックするステップと、
前記外部記憶装置のチェックの結果、接続されている前記外部記憶装置に空き領域が存在する場合に、第２計算部が、「移動可」と設定されている前記内蔵記憶装置のコンテンツを前記外部記憶装置へ移動した場合に増加する前記内部記憶装置の空き領域を算出し、前記録画容量を超える空き領域が前記内蔵記憶装置に確保されるか否かを再判定するステップと、
再判定の結果、前記録画容量を超える空き領域が前記内蔵記憶装置に確保される場合に、移動部が該当コンテンツに「移動予約」を設定すると共に、前記新たなコンテンツの録画開始時刻になる前に「移動予約」の前記内蔵記憶装置のコンテンツを前記外部記憶装置へ移動するステップと
を有することを特徴とするコンテンツ録画方法。
【発明の詳細な説明】
【技術分野】
【０００１】
本発明は、例えば外部記憶装置を、ネットワークを介して接続可能なデジタルテレビジョン表示装置およびデジタルテレビジョンチューナなどのコンテンツ録画装置およびコンテンツ録画方法に関する。
【背景技術】
【０００２】
近年、地上デジタルテレビジョン放送サービスが開始され、放送されるテレビ番組（以下コンテンツと称す）を録画および再生するためのＴＶ番組録画機器の開発および商品化が急務になっている。
【０００３】
ＴＶ番組録画機器は、ハードディスクドライブ（以下「ＨＤＤ」と称す）等の内蔵ストレージを有しているものの、録画動作を繰り返してゆくと、最終的には内蔵ストレージの記憶領域がなくなり、それ以上の録画を行うことができなくなる。
【０００４】
そこで、外部ストレージを接続可能なＴＶ番組録画機器も開発されてはいるものの、内蔵ストレージと同様に録画できるまでには至らず、内蔵ストレージに録画済みのコンテンツを手作業で外部ストレージに移し再生する程度の操作性しか持ち合わせてはいないのが現状である。
【０００５】
この種の先行技術としては、例えば記録媒体の空き領域の容量を検出し、記録予約情報に基づく記録処理に要する容量を算出し、記録媒体の空き領域の容量と記録予約情報に基づいて記録媒体の空き領域の容量が所定の限界値に達する時期を算出し出力する技術が考案されている（例えば特許文献１参照）。
【特許文献１】特開２００５−３４０９４９公報
【発明の開示】
【発明が解決しようとする課題】
【０００６】
しかしながら、上記技術の場合、記録媒体の空き領域の容量が所定の限界値に達する時期はわかるものの、実際の内蔵ストレージの記憶容量が増えるわけではなく、内蔵ストレージの容量を増やすためには、内部に蓄積されたコンテンツを利用者が自ら選定して消去するか、上記のように外部ストレージに移す必要がある。
【０００７】
この作業を忘れてしまうと、実際に新たな番組を録画予約する際に、内蔵ストレージの空き領域がないため、録画予約ができないことに気づき、あわてて録画済みのコンテンツを消すため、大切なコンテンツまで消去してしまうこともある。
【０００８】
本発明はこのような課題を解決するためになされたもので、録画用の内蔵記憶装置と保存および再生用の外部記憶装置とを有効に利用して大切なコンテンツを保持しつつ新たなコンテンツを録画または録画予約することができるコンテンツ録画装置およびコンテンツ録画方法を提供することを目的とする。
【課題を解決するための手段】
【０００９】
上記の課題を解決するために本発明のコンテンツ録画装置は、装置内に搭載され、所定の記憶領域を有する内蔵記録装置と、録画を指示されたコンテンツを前記内蔵記録装置に録画する録画部と、前記内蔵記憶装置に記憶された個々のコンテンツに対してロック指定の有無、「削除可」、「移動可」が設定されたコンテンツ管理情報記憶部と、電子番組表からの録画予約操作またはキー操作により新たなコンテンツの録画予約が指示された場合、前記電子番組表またはキー操作により取得された前記コンテンツの録画時間と予め設定された録画ビットレートとから録画に必要なコンテンツの録画容量を計算する計算部と、前記計算部により計算された録画容量と前記内蔵記憶装置の空き領域とを比較して前記録画容量を超える空き領域が確保されているか否かを判定する判定部と、前記判定部による判定の結果、前記内蔵記憶装置に前記録画容量を超える空き領域が確保されない場合に、前記コンテンツ管理情報記憶部を参照してロック無指定でかつ「削除可」のコンテンツを削除して前記内蔵記憶装置の空き領域を増加する削除部と、前記削除部により「削除可」のコンテンツが削除された場合でも、前記録画容量を超える空き領域を前記内蔵記憶装置に確保できない場合に外部記憶装置の接続の有無とその空き領域の有無をチェックする外部記憶装置チェック部と、前記外部記憶装置チェック部による前記外部記憶装置のチェックの結果、接続されている前記外部記憶装置に空き領域が存在する場合に、前記コンテンツ管理情報記憶部を参照して、「移動可」と設定されている前記内蔵記憶装置のコンテンツを、前記録画容量を超える空き領域が確保されるまで前記外部記憶装置へ移動する移動部とを具備することを特徴とする。
【００１０】
本発明のコンテンツ録画装置は、装置内に搭載され、所定の記憶領域を有する内蔵記録装置と、録画を予約された時刻に前記内蔵記録装置にコンテンツを録画する録画部と、前記内蔵記憶装置に記憶された個々のコンテンツに対してロック指定の有無、「削除可」、「移動可」、「移動予約」が設定されたコンテンツ管理情報記憶部と、電子番組表からの録画予約操作またはキー操作により新たなコンテンツの録画予約が指示された場合、前記電子番組表またはキー操作により取得された前記コンテンツの録画時間と予め設定された録画ビットレートとから録画に必要なコンテンツの録画容量を計算する第１計算部と、前記第１計算部により計算された録画容量と前記内蔵記憶装置の空き領域とを比較して前記録画容量を超える空き領域が確保されるか否かを判定する第１判定部と、前記内蔵記憶装置に前記録画容量を超える空き領域を確保できない場合に、前記コンテンツ管理情報記憶部を参照してロック無指定でかつ「削除可」のコンテンツを削除した場合の前記内蔵記憶装置の空き領域を再計算する再計算手段と、前記再計算手段により再計算された結果、前記録画容量を超える空き領域を前記内蔵記憶装置に確保できない場合に外部記憶装置の接続の有無とその空き領域の有無をチェックする外部記憶装置チェック部と、前記外部記憶装置チェック部による前記外部記憶装置のチェックの結果、接続されている前記外部記憶装置に空き領域が存在する場合に、前記コンテンツ管理情報記憶部を参照して、「移動可」と設定されている前記内蔵記憶装置のコンテンツを前記外部記憶装置へ移動した場合に増加する前記内部記憶装置の空き領域を算出し、前記録画容量を超える空き領域が前記内蔵記憶装置に確保されるか否かを前記第１判定部に再判定させる第２計算部と、前記第１判定部による再判定の結果、前記録画容量を超える空き領域が前記内蔵記憶装置に確保される場合に、前記コンテンツ管理情報記憶部の該当コンテンツを「移動予約」に設定すると共に、前記新たなコンテンツの録画開始時刻になる前に「移動予約」の前記内蔵記憶装置のコンテンツを前記外部記憶装置へ移動する移動部とを具備することを特徴とする。
【００１１】
本発明のコンテンツ録画方法は、録画を指示された時刻に録画部が、装置内に搭載され内蔵記録装置にコンテンツを録画するステップと、前記内蔵記憶装置に記憶された個々のコンテンツに対してロック指定の有無、「削除可」「削除予約」、「移動可」、「移動予約」を設定するステップと、電子番組表からの録画予約操作またはキー操作により新たなコンテンツの録画予約が指示された場合、前記電子番組表またはキー操作により取得された前記コンテンツの録画時間と予め設定された録画ビットレートとから録画に必要なコンテンツの録画容量を計算部が計算するステップと、計算された録画容量と前記内蔵記憶装置の空き領域とを判定部が比較して前記録画容量を超える空き領域が確保されているか否かを判定するステップと、判定の結果、前記内蔵記憶装置に前記録画容量を超える空き領域が確保できない場合に、削除部がロック無指定でかつ「削除可」と設定されているコンテンツを削除して前記内蔵記憶装置の空き領域を増加するステップと、「削除可」のコンテンツを削除した後、前記内蔵記憶装置に前記録画容量を超える空き領域を確保できない場合に外部記憶装置チェック部が外部記憶装置の接続の有無とその空き領域の有無をチェックするステップと、前記外部記憶装置のチェックの結果、接続されている前記外部記憶装置に空き領域が存在する場合に、移動部が、「移動可」と設定されている前記内蔵記憶装置のコンテンツを前記録画容量が確保されるまで前記外部記憶装置へ移動するステップとを有することを特徴とする。
【００１２】
本発明のコンテンツ録画方法は、録画を予約された時刻に録画部が、装置内に搭載された内蔵記録装置にコンテンツを録画するステップと、前記内蔵記憶装置に記憶された個々のコンテンツに対してロック指定の有無、「削除可」、「削除予約」、「移動可」、「移動予約」を設定するステップと、電子番組表からの録画予約操作またはキー操作により新たなコンテンツの録画予約が指示された場合、前記電子番組表またはキー操作により取得された前記コンテンツの録画時間と予め設定された録画ビットレートとから録画に必要なコンテンツの録画容量を計算部が計算するステップと、計算された録画容量と前記内蔵記憶装置の空き領域とを判定部が比較して前記録画容量を超える空き領域が確保されるか否かを判定するステップと、判定の結果、前記内蔵記憶装置に前記録画容量を超える空き領域が確保できない場合に、再計算部がロック無指定でかつ「削除可」と設定されているコンテンツを削除した場合の前記内蔵記憶装置の空き領域を再計算するステップと、再計算の結果、前記録画容量を超える空き領域が前記内蔵記憶装置に確保されない場合に外部記憶装置の接続の有無とその空き領域の有無を外部記憶装置チェック部がチェックするステップと、前記外部記憶装置のチェックの結果、接続されている前記外部記憶装置に空き領域が存在する場合に、第２計算部が、「移動可」と設定されている前記内蔵記憶装置のコンテンツを前記外部記憶装置へ移動した場合に増加する前記内部記憶装置の空き領域を算出し、前記録画容量を超える空き領域が前記内蔵記憶装置に確保されるか否かを再判定するステップと、再判定の結果、前記録画容量を超える空き領域が前記内蔵記憶装置に確保される場合に、移動部が該当コンテンツに「移動予約」を設定すると共に、前記新たなコンテンツの録画開始時刻になる前に「移動予約」の前記内蔵記憶装置のコンテンツを前記外部記憶装置へ移動するステップとを有することを特徴とする。
【００１３】
本発明の場合、コンテンツを録画可能な内蔵記憶装置（内蔵ストレージ）を搭載し、この内蔵ストレージに蓄積されている既存のコンテンツの保存および再生が可能な外部記憶装置（外部ストレージ）を接続可能なコンテンツ録画装置で、新たな番組の録画または録画予約をする際に、内蔵ストレージに蓄積されている既存のコンテンツの中でロックがかかっていない削除可能なコンテンツを内蔵ストレージから自動的に削除する。
【００１４】
それでも内蔵ストレージの空き領域の容量が足りない場合には外部ストレージの接続の有無と空き領域をチェックし、外部ストレージが接続されておりかつ一定の空き領域がある場合に、既存のコンテンツの中から移動可能なコンテンツを外部ストレージへ移動して新たな番組の録画のための空き領域を確保する。
【発明の効果】
【００１５】
本発明によれば、録画用の内蔵記憶装置と保存および再生用の外部記憶装置とを有効に活用して大切なコンテンツを保持しつつ新たなコンテンツを録画または録画予約できるようになる。
【発明を実施するための最良の形態】
【００１６】
以下、本発明の実施の形態について図面を参照しながら説明する。図１は本発明の実施形態に係るデジタルテレビジョン放送受信システムの構成を示すブロック図、図２はＤＴＶに記憶されているコンテンツ管理テーブルの一例を示す図である。
【００１７】
図１に示すように、このデジタルテレビジョン放送受信システムは、コンテンツ録画装置としてのデジタルテレビジョン放送受信装置１１（以下「ＤＴＶ１１」と称す）と、このＤＴＶ１１にローカルエリアネットワーク１０（以下「ＬＡＮ１０」と称す）などのネットワークを介して接続された少なくとも一つの外部記憶装置、この例では１台の外部ストレージ２５を備えている。
【００１８】
外部ストレージ２５は、例えばNetwork Attached Storage：ＮＡＳなどであり、その内部にはＣＰＵ、メモリ、ハードディスク装置、ＬＡＮインターフェースなどを備えている。
【００１９】
外部ストレージ２５のハードディスク装置は、例えば１Ｔｂｙｔｅ程度のものである。ハードディスク装置の空き領域の容量（以下これを「空き容量」と称す）は、例えば７０％程度であり、内蔵ストレージ７４からのコンテンツの移動および保存には十分な空き容量が確保されているものとする。
【００２０】
現在、録画対象となる一般的なコンテンツは、ＢＳデジタル放送の場合、ハイビジョンコンテンツとＳＤコンテンツに分類される。例えばハイビジョンコンテンツは、おおよそ２４Ｍｂｐｓ、ＳＤコンテンツは約８Ｍｂｐｓ程度である。
【００２１】
これらのコンテンツを録画するビットレート（録画ビットレート）は、一例として予めＲＯＭなどにデフォルト設定されているものとして説明するが、デジタル放送波のＳＩ（Service Information）の情報を参考に決定してもよい。また、利用者が所望の値（システムで予め設定された複数の値の中からの選択）に設定し直すことも可能である。
【００２２】
ＤＴＶ１１は、薄型のキャビネットと、このキャビネットを起立させて支持する支持台とを備えている。キャビネットには、例えば液晶表示パネル等でなる平面パネル型の映像表示器１４、スピーカ１５、操作部１６、リモートコントローラ１７から送信される操作情報を受ける受光部１８等が設けられている。
【００２３】
映像表示器１４は、リモートコントローラ１７からのコンテンツ再生指示により、内蔵ストレージ７４または外部ストレージ２５に保存されているコンテンツが再生されたときに、それを表示する表示器である。また、映像表示器１４は、インターネットへのアクセスまたは放送受信により取得されたＥＰＧなどを表示し、録画や録画予約の指示を受け付けるためのものである。ＥＰＧは、電子番組表（Electronic Program Guide）である。すなわち、映像表示器１４は、ＥＰＧを表示し、録画操作または録画予約操作を受け付けるための表示器として機能する。
【００２４】
図２は上記したＤＴＶ１１の主要な信号処理系の構成を示すブロック図である。同図に示すように、ＤＴＶ１１は、入力端子４４，４９、チューナ４５，５０，５２、ＰＳＫ（Phase Shift Keying）復調器４６、信号処理部４７、ＯＦＤＭ（Orthogonal Frequency Division Multiplexing）復調器５１、アナログ復調器５３、グラフィック処理部５４、音声処理部５５、ＯＳＤ（On Screen Display）信号生成部５７、映像処理部５８、出力端子６０、制御部６１、カードＩ／Ｆ（Interface）６５、カードホルダ６６、通信Ｉ／Ｆ６９、内蔵記憶装置としての内蔵ストレージ７４、内蔵ストレージコントローラ７５などを備えている。
【００２５】
カードホルダ６６は、例えばＳＤ（Secure Digital）メモリカード、ＭＭＣ（Multimedia Card）およびメモリスティック等のメモリカード、また、例えば契約情報等の記録されたメモリカード（ＩＣカード）等のメモリカード１９が着脱可能である。これらのメモリカード１９に対してカードホルダ６６およびカードＩ／Ｆ６５を介して番組や写真等の情報の記録および再生が行なわれ、また情報の記録および再生が行なわれる。
【００２６】
また、このＤＴＶ１１は、第１のＬＡＮ端子２１、第２のＬＡＮ端子２２、ＵＳＢ（Universal Serial Bus）端子２３及びIEEE1394端子２４を備えている。IEEE1394端子２４はi.Link（登録商標）端子ともいう。
【００２７】
第１のＬＡＮ端子２１は、ＬＡＮ対応ＨＤＤ専用ポートとして使用されるものであり、ＬＡＮ１０に接続された外部ストレージ２５に対して情報の保存および再生を行なうために使用される。
【００２８】
第１のＬＡＮ端子２１および通信Ｉ／Ｆ６９は、ＬＡＮ１０を介して少なくとも一つの外部ストレージ２５と通信を行う通信部として機能する。
【００２９】
このように、ＬＡＮ対応ＨＤＤ専用ポートとしての第１のＬＡＮ端子２１を設けることにより、他のネットワーク環境やネットワーク使用状況等に影響されることなく、外部ストレージ２５に対してハイビジョン画質による録画済みの番組（コンテンツ）を内蔵ストレージ７４から移動し、保存および再生を安定して行なうことができる。
【００３０】
また、第２のＬＡＮ端子２２は、ＬＡＮ１０に接続される一般的なＬＡＮ対応ポートとして使用されるもので、例えばハブなどを介して他のネットワーク機器（ＬＡＮ対応のＰＣ（Personal Computer）、ＨＤＤ内蔵のＤＶＤレコーダ等の機器を接続し、これらの機器と情報伝送を行なうために使用される。
【００３１】
なお、ＤＶＤレコーダについては、第２のＬＡＮ端子２２を介して通信されるデジタル情報が制御系のみの情報であるため、ＤＴＶ１１との間でアナログの映像及び音声情報を伝送するために、専用のアナログ伝送路を設ける必要がある。
【００３２】
また、この第２のＬＡＮ端子２２は、ハブに接続されたブロードバンドルータを介して、例えばインターネット等のワイドエリアネットワーク（以下「ＷＡＮ」と称す）に接続し、そのＷＡＮを介してＰＣや携帯電話機等と情報伝送を行なうために使用される。
【００３３】
ＵＳＢ端子２３は、一般的なＵＳＢ対応ポートとして使用されるものであり、例えＵＳＢハブを介して、携帯電話機、デジタルカメラ、メモリカードに対するカードリーダ／ライタ、ＨＤＤ、キーボード等のＵＳＢ機器を接続し、これらのＵＳＢ機器と情報伝送を行なうために使用される。
【００３４】
更に、上記IEEE1394端子２４は、例えばＡＶ−ＨＤＤ、Ｄ（Digital）−ＶＨＳ（Video Home System）等をシリアル接続し、これらの機器と情報伝送を行なうために使用される。
【００３５】
入力端子４４は、アンテナ４３に接続されている。アンテナ４３は、ＢＳ／ＣＳデジタル放送受信用のアンテナであり、衛星デジタルテレビジョン放送信号を受信する。アンテナ４３で受信された衛星デジタルテレビジョン放送信号は、入力端子４４を介して衛星デジタル放送用のチューナ４５に供給される。
【００３６】
チューナ４５は、衛星デジタルテレビジョン放送信号から所望のチャンネルの放送信号を選局する。このチューナ４５は、選局した放送信号をＰＳＫ復調器４６に供給する。ＰＳＫ復調器４６は、供給されたデジタルの映像信号及び音声信号を復調した後、信号処理部４７に出力する。
【００３７】
チューナ５０には、地上波放送受信用のアンテナ４８で受信された地上デジタルテレビジョン放送信号が入力端子４９を通じて供給される。チューナ５０は、供給された地上デジタルテレビジョン放送信号から所望のチャンネルの放送信号を選局する。
【００３８】
チューナ５０は、選局した放送信号をＯＦＤＭ復調器５１に供給する。ＯＦＤＭ復調器５１は、放送信号をデジタルの映像信号及び音声信号に復調し信号処理部４７に出力する。
【００３９】
チューナ５２には、地上波放送受信用のアンテナ４８で受信された地上アナログテレビジョン放送信号が供給される。
チューナ５２は、入力端子４９を介して地上アナログ放送用のチューナ５２に供給されることにより、所望のチャンネルの放送信号を選局し、アナログ復調器５３に供給する。
【００４０】
アナログ復調器５３は、チューナ５２で選局された放送信号をアナログの映像信号及び音声信号に復調した後、信号処理部４７に出力する。
【００４１】
信号処理部４７は、アナログ復調器５３により復調されたアナログの映像信号及び音声信号をグラフィック処理部５４及び音声処理部５５に出力する。
【００４２】
また、信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力する。
【００４３】
グラフィック処理部５４は、信号処理部４７から供給されるデジタルの映像信号に、ＯＳＤ信号生成部５７で生成されるＯＳＤ信号を重畳して出力する。このグラフィック処理部５４は、信号処理部４７の出力映像信号と、ＯＳＤ信号生成部５７の出力ＯＳＤ信号とを選択的に出力する。
【００４４】
また、グラフィック処理部５４は、両出力をそれぞれ画面の半分を構成するように組み合わせて出力する。グラフィック処理部５４から出力されたデジタルの映像信号は、映像処理部５８に供給される。
【００４５】
映像処理部５８は、入力されたデジタルの映像信号を、映像表示器１４で表示可能なフォーマットのアナログ映像信号に変換した後、映像表示器１４に出力して映像表示させるとともに、出力端子５９を介して外部に導出させる。
【００４６】
音声処理部５５は、入力されたデジタルの音声信号を、スピーカ１５で再生可能なフォーマットのアナログ音声信号に変換した後、スピーカ１５に出力して音声再生させるとともに、出力端子６０を介して外部に導出させる。
【００４７】
内蔵ストレージ７４は、このＤＴＶ１１のキャビネット内に搭載されるハードディスク装置などであり、所定の記憶領域（例えば５００Ｇｂｙｔｅなど）を有している。既に録画などが行われ、内蔵ストレージ７４の空き容量は１０Ｇｂｙｔｅ程度（２％程度）であるものとする。
【００４８】
内蔵ストレージコントローラ７５は、内蔵ストレージ７４に対するデータの書き込みおよび読み出しを制御する。
【００４９】
内蔵ストレージコントローラ７５は、制御部６１からの確認要求により内蔵ストレージ７４の空き容量を確認し、その値を制御部６１へ返す。
【００５０】
録画ビットレートが例えば２４Ｍｂｐｓに設定されているときに、ＥＰＧ１時間の番組を録画するためには、１０Ｇｂｙｔｅ強必要であり、内蔵ストレージ７４の空き容量では不足する。
【００５１】
このＤＴＶ１１は、上記した各種の受信動作を含むその全ての動作を制御部６１によって統括的に制御される。この制御部６１は、ＣＰＵ（Central Processing Unit）、ＲＯＭ（Read Only Memory）６２、ＲＡＭ（Random Access Memory）６３、不揮発性メモリ６４などのメモリを内蔵している。
【００５２】
制御部６１は、上記操作部１６からの操作情報を受け、または、リモートコントローラ１７から送出された操作情報を上記受光部１８を介して受信し、その操作内容が反映されるように各部をそれぞれ制御する。
【００５３】
ＲＯＭ６２には、制御部６１のＣＰＵが実行する制御プログラムが格納されており、起動時にＣＰＵにより制御プログラムが読み出されて各部が制御される。ＲＡＭ６３は、該ＣＰＵに作業エリア（演算処理のための記憶領域）を提供する。
【００５４】
不揮発性メモリ６４には、各種の設定情報及び制御情報（ＮＡＳなどの機器から取得された性能データ、録画予約情報（図示せず）、コンテンツ管理テーブル６７（図２参照）等）が電源供給なしに格納および保持される。コンテンツ管理テーブル６７には、内蔵ストレージ７４に記憶された個々のコンテンツに対してロック指定の有無、「削除可」、「移動可」などが設定されている。
【００５５】
図２に示すように、コンテンツ管理テーブル６７には、録画済みのコンテンツを識別するためのコンテンツナンバー毎に、ロックフラグの欄、削除フラグの欄、移動フラグの欄が設定されている。各フラグの欄には、制御部６１により必要に応じて各フラグが設定される。
【００５６】
削除予約フラグおよび移動予約フラグの各欄には、削除処理または移動処理の予約が行われたときに、削除処理の予約または移動処理の予約を示すフラグ、例えば「○」などが設定される。
【００５７】
また、利用者によりコンテンツのロックを指示するキー操作が行われたときに、制御部６１によりロックフラグの欄に、削除してはいけないコンテンツであることを示すロックフラグ、例えばフラグ「Ｌ」などが設定される。
【００５８】
なお、フラグ「Ｌ」が設定されている場合は、コンテンツの移動のみは可能であり、「移動可」、「削除不可」という意味を持つ。各フラグの欄に何も設定されていない場合は、「移動可」、「削除可」という意味を持つ。
【００５９】
つまり、不揮発性メモリ６４は、録画済みのコンテンツをロック、削除または移動するための管理情報が記憶されたコンテンツ管理情報記憶部である。
【００６０】
制御部６１は、インターネットへのアクセスまたは放送受信によりＥＰＧを取得する。
【００６１】
制御部６１は、メモリの情報を利用してＥＰＧによる番組の録画、および録画予約、内蔵ストレージ７４のコンテンツのロック、削除、外部ストレージ２５へのコンテンツの移動制御などを行う。
【００６２】
制御部６１は、カードＩ／Ｆ６５を介して、上記メモリカード１９が装着可能なカードホルダ６６に接続されている。これによって、制御部６１は、カードホルダ６６に装着されたメモリカード１９と、カードＩ／Ｆ６５を介して情報伝送を行なうことができる。
【００６３】
制御部６１は、カードＩ／Ｆ６５とは異なるカードＩ／Ｆを介して、他のメモリカード（第２のメモリカード）を装着可能なカードホルダに接続されており、第２のメモリカードと情報伝送を行なう。
【００６４】
制御部６１は、通信Ｉ／Ｆ６９を介して第１のＬＡＮ端子２１に接続されている。これにより、制御部６１は、第１のＬＡＮ端子２１に接続されたＬＡＮ対応のＮＡＳである外部ストレージ２５と、通信Ｉ／Ｆ６９を介して情報伝送を行なうことができる。
【００６５】
この場合、制御部６１は、ＤＨＣＰ（Dynamic Host Configuration Protocol）サーバ機能を有し、第１のＬＡＮ端子２１に接続されたＬＡＮ対応の外部ストレージ２５にＩＰ（Internet Protocol）アドレスを割り当てて利用機器の登録動作を行う。
【００６６】
制御部６１は、通信Ｉ／Ｆ７０を介して第２のＬＡＮ端子２２に接続されている。制御部６１は、第２のＬＡＮ端子２２に接続された各機器と、通信Ｉ／Ｆ７０を介して情報伝送を行なう。
【００６７】
制御部６１は、ＵＳＢ Ｉ／Ｆ７１を介してＵＳＢ端子２３に接続されている。制御部６１は、ＵＳＢ端子２３に接続された各機器と、ＵＳＢ Ｉ／Ｆ７１を介して情報伝送を行なう。
【００６８】
制御部６１は、ＩＥＥＥ１３９４ Ｉ／Ｆ７２を介してＩＥＥＥ１３９４端子２４に接続されている。制御部６１は、ＩＥＥＥ１３９４端子２４に接続された各機器と、IEEE1394Ｉ／Ｆ７２を介して情報伝送を行なう。
【００６９】
制御部６１は、録画を指示されたコンテンツを内蔵ストレージ７４に録画する録画部として機能する。また、制御部６１は、不揮発性メモリ６４に設定されている録画予約情報（図示せず）を監視し録画予約時刻に達すると、該当番組を内蔵ストレージ７４に録画する。
【００７０】
制御部６１は、コンテンツの録画要求または録画予約要求が発生したときに、コンテンツの情報（録画予定時間、ビットレートなど）から記録予定サイズ（以下「録画容量」と称す）を算出する。
【００７１】
録画要求発生時と録画予約要求発生時とでは制御部６１の動作が異なるため、以下それぞれの機能について説明する。
（録画要求発生時の録画機能）
制御部６１は、番組を視聴している利用者によりリモートコントローラ１７が録画操作された場合やＥＰＧからの録画操作での録画イベントの発生で、対象となる番組の録画予定時間と録画ビットレートとから録画容量を算出する。番組の録画予定時間は、ＥＰＧから取得してもよく、また録画設定画面からキー入力してもよい。
【００７２】
すなわち、制御部６１は、ＥＰＧからの録画操作またはキー操作により新たなコンテンツの録画が指示された場合、ＥＰＧまたはキー操作により取得されたコンテンツの録画予定時間と予め設定された録画ビットレートとから録画に必要なコンテンツの録画容量を計算する計算部として機能する。
【００７３】
制御部６１は、計算された録画容量と内蔵ストレージ７４の空き領域とを比較して録画容量を超える空き領域が確保されているか否かを判定する判定部として機能する。
【００７４】
制御部６１は、判定の結果、内蔵ストレージ７４に録画容量を超える空き領域が確保されない場合に、コンテンツ管理テーブル６７を参照してコンテンツナンバーの順にロックフラグの欄にフラグ「Ｌ」が設定されていないコンテンツナンバーのコンテンツ（ロック無指定でかつ「削除可」のコンテンツ）を削除して内蔵ストレージ７４の空き領域を増加する削除部として機能する。
【００７５】
制御部６１は、コンテンツ管理テーブル６７上の「削除可」のコンテンツが削除された後でも、録画容量を超える空き領域を内蔵ストレージ７４に確保できない場合に、外部ストレージ２５の接続の有無とその空き領域の有無をチェックする外部記憶装置チェック部として機能する。
【００７６】
制御部６１は、外部ストレージ２５のチェックの結果、外部ストレージ２５が接続されており、その外部ストレージ２５に、録画に十分な空き領域（例えば５０Ｇｂｙｔｅ程度以上の空き領域）が存在する場合に、コンテンツ管理テーブル６７を参照して、コンテンツナンバーの順にロックフラグの欄に「Ｌ」が設定されており、かつ移動フラグの欄に、フラグ「○」が設定されているコンテンツ（削除は不可だが移動のみ可能と設定されている内蔵ストレージ７４のコンテンツ）を選出し、録画容量を超える空き領域が確保されるまで外部ストレージ２５へ順に移動する移動部として機能する。
【００７７】
（録画予約要求発生時の録画予約機能）
制御部６１は、録画を予約された時刻に内蔵ストレージ７４にコンテンツを録画する録画部として機能する。
【００７８】
制御部６１は、ＥＰＧからの録画予約操作またはキー操作により新たなコンテンツの録画予約が指示された場合、ＥＰＧまたはキー操作により取得されたコンテンツの録画予定時間と予め設定された録画ビットレートとから録画に必要なコンテンツの録画容量を計算する第１計算部として機能する。
【００７９】
制御部６１は、計算された録画容量と内蔵ストレージ７４の空き容量とを比較して録画容量を超える空き容量が確保されるか否かを判定する第１判定部として機能する。
【００８０】
制御部６１は、内蔵ストレージ７４に録画容量を超える空き領域を確保できない場合に、コンテンツ管理テーブル６７を参照してロック無指定でかつ「削除可」のコンテンツを削除した場合の内蔵ストレージ７４の空き領域を再計算する再計算部として機能する。
【００８１】
制御部６１は、再計算された結果、録画容量を超える空き領域を内蔵ストレージ７４に確保できない場合に外部ストレージ２５の接続の有無とその空き領域の有無をチェックする外部記憶装置チェック部として機能する。
【００８２】
制御部６１は、外部ストレージ２５のチェックの結果、接続されている外部ストレージ２５に空き領域が存在する場合に、コンテンツ管理テーブル６７（図２参照）を参照して、「移動可」と設定されているコンテンツナンバーのコンテンツを外部ストレージ２５へ順に移動した場合に増加する内蔵ストレージ７４の空き容量を算出し、録画容量を超える空き領域が内蔵ストレージ７４に確保されるか否かを第１判定部に再判定させる第２計算部として機能する。
【００８３】
制御部６１は、再判定の結果、録画容量を超える空き領域が内蔵ストレージ７４に確保される場合に、コンテンツ管理テーブル６７の該当コンテンツナンバーの移動フラグの欄に移動の予約を示すフラグ「○」を設定し、そのコンテンツを「移動予約」したコンテンツとして設定すると共に、録画を予約した番組の開始前（新たなコンテンツの録画開始時刻になる前）に「移動予約」した内蔵ストレージ７４のコンテンツを外部ストレージ２５へ移動する移動部として機能する。
【００８４】
新たなコンテンツの録画開始時刻になる前とは、次の録画予約が行われるときと、これ以外に、例えば録画開始時刻の１時間前または１時間毎の定期的なトリガ発生に伴う動作などが考えられる。
【００８５】
以下、このデジタルテレビジョン放送受信システムの動作を説明する。
内蔵ストレージ７４を搭載するＤＴＶ１１の場合、番組を録画する処理として、録画操作により直ちに録画を行うリアルタイムの録画動作と、録画予約しておいた時刻に録画を行う録画予約動作がある。
【００８６】
（録画予約動作）
まず、図３のフローチャートを参照して録画予約動作を説明する。このシステムにおけるＤＴＶ１１では、番組を直接録画できるのは内蔵ストレージ７４のみである。
【００８７】
図３に示すように、リモートコントローラ１７によるユーザからの操作でＥＰＧ等のＧＵＩを通して録画予約操作が行われ、録画予約の指示がなされると（ステップＳ１０１）、制御部６１は、内蔵ストレージ７４の空き容量を内蔵ストレージコントローラ７５に確認し、その値をＲＡＭ６３に記憶する（ステップＳ１０２）。
【００８８】
続いて、制御部６１は、録画を指示された番組を録画するのに必要な録画容量とＲＡＭ６３に記憶されている内蔵ストレージ７４の空き容量とを比較し、内蔵ストレージ７４に番組を録画するために必要な十分な空き容量が確保されているか否かを判定する（ステップＳ１０３）。
【００８９】
この判定の結果、内蔵ストレージ７４の空き容量が録画容量を超えており、録画に必要な空き容量が確保されていると判定した場合（ステップＳ１０３のＹｅｓ）、制御部６１は、指示された番組について録画予約の処理を行う（ステップＳ１０４）。
【００９０】
また、判定の結果、内蔵ストレージ７４の空き容量が録画容量以下であり、録画に必要な十分な空き容量を確保できていない場合（ステップＳ１０３のＮｏ）、制御部６１は、内蔵ストレージ７４の空き容量を確保するために、コンテンツの削除または移動のための予約処理を行う。
【００９１】
この場合、制御部６１は、コンテンツ管理テーブル６７を参照して内蔵ストレージ７４内に録画済みのコンテンツについて、削除・移動の予約があるかどうかをチェックする（ステップＳ１０５）。
【００９２】
図２のコンテンツ管理テーブル６７の削除フラグの欄または移動フラグの欄にフラグ「○」が設定されているものが、削除または移動の予約がなされているコンテンツである。
【００９３】
チェックの結果、削除・移動の予約がなされていた場合（ステップＳ１０５のＹｅｓ）、制御部６１は、コンテンツ管理テーブル６７に削除予約のフラグまたは移動予約のフラグが付されているコンテンツナンバーのコンテンツを削除処理または移動処理する（ステップＳ１０６）。
【００９４】
また、チェックの結果、削除・移動の予約がなされていない場合（ステップＳ１０５のＮｏ）、次に、制御部６１は、削除可能な録画済みコンテンツの有無を確認する（ステップＳ１０７）。
【００９５】
具体的には、制御部６１は、コンテンツ管理テーブル６７を参照してロックフラグの欄、削除フラグの欄、移動フラグの各欄に何も設定されていないコンテンツナンバーを選出する。
【００９６】
この結果、コンテンツナンバーが選出されると、制御部６１は、コンテンツ管理テーブル６７の該当コンテンツナンバーの削除フラグの欄に削除予約を示すフラグ「○」を追加設定し（ステップＳ１０８）、次の削除処理の際の削除対象とする。次の削除処理は、一定時間毎でもよく、録画予約時刻の開始１時間前などであってもよい。
【００９７】
そして、制御部６１は、ステップＳ１０２の処理に戻り、該当コンテンツを削除したものと仮定して、現在の内蔵ストレージ７４の空き容量を削除予約した分だけ増やして、内蔵ストレージ７４の空き容量を確認した後、録画に必要な空き容量が確保されたか否かを判定する（ステップＳ１０３）。
【００９８】
一方、削除可能な録画済みコンテンツが既に削除予約されたもの以外にない場合（ステップＳ１０７のＮｏ）、制御部６１は、次に外部ストレージ２５が通信Ｉ／Ｆ６９に接続されているか否か、また外部ストレージ２５が通信Ｉ／Ｆ６９に接続されていた場合、外部ストレージ２５からデバイス情報を取得して、空き容量がある一定の容量以上あるか否かを判定する（ステップＳ１０９）。
【００９９】
この判定の結果、外部ストレージ２５にある一定の容量以上の空き容量があれば（ステップＳ１０９のＹｅｓ）、続いて、制御部６１は、内蔵ストレージ７４に移動可能なコンテンツがあるか否かを判定し（ステップＳ１１０）、移動可能なコンテンツがあれば、それを選出する。
【０１００】
具体的には、制御部６１は、コンテンツ管理テーブル６７のロックフラグの欄にフラグ「Ｌ」が設定されているものの、移動フラグの欄に移動予約のフラグ「○」が設定されていないコンテンツナンバーを選出する。このようなフラグ構成のコンテンツナンバーのコンテンツは、削除は不可であるが、移動は可能というものである。
【０１０１】
コンテンツ管理テーブル６７を参照した結果、移動可能なコンテンツが存在する場合（ステップＳ１１０のＹｅｓ）、制御部６１は、移動フラグの欄に移動の予約を示すフラグ「○」を追加設定し（ステップＳ１１１）、次の移動処理の際の移動対象とする。次の移動処理は、一定時間毎でもよく、録画予約時刻の開始１時間前などであってもよい。
【０１０２】
そして、制御部６１は、ステップＳ１０２の処理に戻り、該当コンテンツを外部ストレージ２５へ移動したものと仮定して、現在の内蔵ストレージ７４の空き容量を移動予約した分だけ増やして、内蔵ストレージ７４の空き容量を確認した後、録画に必要な空き容量が確保されたか否かを判定する（ステップＳ１０３）。
する。
【０１０３】
ここで、もし移動可能なコンテンツが既に移動予約されたもの以外にない場合（ステップＳ１１０のＮｏ）、制御部６１は、削除・移動可能なコンテンツは内蔵ストレージ７４には既に存在しないものと判定して、録画予約不可を示す情報を予約画面へ表示して利用者へその旨を通知し、処理を終了する（ステップＳ１１２）。
【０１０４】
（録画動作）
次に、図４のフローチャートを参照して録画動作を説明する。
図４に示すように、リモートコントローラ１７によるユーザからの操作でＥＰＧ等のＧＵＩを通して録画操作が行われ、録画の指示がなされると（ステップＳ２０１）、制御部６１は、内蔵ストレージ７４の空き容量を内蔵ストレージコントローラ７５に確認し、その値をＲＡＭ６３に記憶する（ステップＳ２０２）。
【０１０５】
続いて、制御部６１は、録画を指示された番組を録画するのに必要な録画容量とＲＡＭ６３に記憶されている内蔵ストレージ７４の空き容量とを比較し、内蔵ストレージ７４に番組を録画するために必要な十分な空き容量が確保されているか否かを判定する（ステップＳ２０３）。
【０１０６】
この判定の結果、内蔵ストレージ７４の空き容量が録画容量を超えており、録画に必要な空き容量が確保されていると判定した場合（ステップＳ２０３のＹｅｓ）、制御部６１は、指示された番組について録画の処理を行う（ステップＳ２０４）。
【０１０７】
また、判定の結果、内蔵ストレージ７４の空き容量が録画容量以下であり、録画に必要な十分な空き容量を確保できていない場合（ステップＳ２０３のＮｏ）、制御部６１は、内蔵ストレージ７４の空き容量を確保するために、コンテンツの削除処理または移動処理を行う。
【０１０８】
この場合、制御部６１は、コンテンツ管理テーブル６７を参照して内蔵ストレージ７４内に録画済みのコンテンツについて、削除・移動の予約があるかどうかをチェックする（ステップＳ２０５）。
【０１０９】
図２のコンテンツ管理テーブル６７の削除フラグの欄または移動フラグの欄にフラグ「○」が設定されているものが、削除または移動の予約がなされているコンテンツである。
【０１１０】
チェックの結果、削除・移動の予約がなされていた場合（ステップＳ２０５のＹｅｓ）、制御部６１は、コンテンツ管理テーブル６７に削除フラグまたは移動フラグが付されているコンテンツナンバーのコンテンツを内蔵ストレージ７４から削除処理または移動処理する（ステップＳ２０６）。
【０１１１】
削除処理または移動処理の後、制御部６１は、ステップＳ２０２の処理に戻り、該当コンテンツが削除または移動されたことで、空き容量の増えた現在の内蔵ストレージ７４の空き容量を確認する。
【０１１２】
また、上記チェックの結果、削除・移動の予約がなされていない場合（ステップＳ２０５のＮｏ）、制御部６１は、削除可能な録画済みコンテンツの有無を確認する（ステップＳ２０７）。
【０１１３】
具体的には、制御部６１は、コンテンツ管理テーブル６７のロックフラグの欄、削除フラグの欄、移動フラグの各欄に何も設定されていないコンテンツナンバーを選出する。
【０１１４】
この結果、コンテンツナンバーが選出されると、制御部６１は、該当コンテンツナンバーの内蔵ストレージ７４のコンテンツを削除する（ステップＳ２０６）。
【０１１５】
そして、制御部６１は、ステップＳ２０２の処理に戻り、該当コンテンツが削除された後の内蔵ストレージ７４の空き容量を再度確認した後、録画に必要な空き容量が確保されたか否かを判定する（ステップＳ２０３）。
【０１１６】
一方、削除可能な録画済みコンテンツが存在しない場合（ステップＳ２０７のＮｏ）、制御部６１は、次に外部ストレージ２５が通信Ｉ／Ｆ６９に接続されているか否か、また外部ストレージ２５が通信Ｉ／Ｆ６９に接続されていた場合、外部ストレージ２５からデバイス情報を取得して、空き容量がある一定の容量以上あるか否かを判定する（ステップＳ２０８）。
【０１１７】
この判定の結果、外部ストレージ２５にある一定の容量以上の空き容量があれば（ステップＳ２０８のＹｅｓ）、続いて、制御部６１は、内蔵ストレージ７４に移動可能なコンテンツがあるか否かを判定し（ステップＳ２０９）、移動可能なコンテンツがあれば、それを選出する。
【０１１８】
具体的には、制御部６１は、コンテンツ管理テーブル６７のロックフラグの欄にフラグ「Ｌ」が設定されているものの、移動フラグの欄に移動予約のフラグが設定されていないコンテンツナンバーを選出する。このようなフラグ構成のコンテンツナンバーのコンテンツは、削除は不可であるが、移動は可能というものである。
【０１１９】
コンテンツ管理テーブル６７を参照した結果、移動可能なコンテンツが存在する場合（ステップＳ２０９のＹｅｓ）、制御部６１は、該当コンテンツを移動処理する（ステップＳ２０６）。
具体的には、制御部６１は、内蔵ストレージ７４の該当コンテンツを外部ストレージ２５へ移動する。
【０１２０】
そして、制御部６１は、ステップＳ２０２の処理に戻り、該当コンテンツが外部ストレージ２５へ移動されたことで空き容量の増えた現在の内蔵ストレージ７４の空き容量を確認する。
【０１２１】
上記コンテンツ管理テーブル６７を参照した結果、移動可能なコンテンツナンバーが存在しない場合（ステップＳ２０９のＮｏ）、制御部６１は、録画不可を示す情報を画面へ表示して利用者へその旨を通知し、処理を終了する（ステップＳ２１０）。
【０１２２】
このようにこの実施形態のデジタルテレビジョン放送受信システムによれば、録画済み番組が多くなり、内蔵ストレージ７４の空き容量が減少してきた場合に、ロックされた録画済みコンテンツ群のうち移動可能な番組を外部ストレージ２５に移動することによって内蔵ストレージ７４に、録画に必要な空き容量を確保することができる。
【０１２３】
この結果、内蔵ストレージ７４の容量次第で仮想的に内蔵ストレージ７４の容量を増やすことができ、録画可能時間を延ばすことができる。
【０１２４】
なお、本願発明は、上記実施形態のみに限定されるものではなく、実施段階ではその要旨を逸脱しない範囲で構成要素を変形してもよい。また、上記実施形態に開示されている複数の構成要素を適宜組み合わせることにより、種々の発明を構成できる。
【０１２５】
例えば、実施形態に示される全構成要素から幾つかの構成要素を削除してもよい。さらに、異なる実施形態にわたる構成要素を適宜組み合わせてもよい。
【０１２６】
内蔵ストレージ７４の空き容量を確保するために録画済みコンテンツの自動削除を行う上で、コンテンツ管理テーブル６７に、ユーザ別、録画日時、最終アクセス日時、アクセス回数、ジャンル、経過期間等のさまざまな項目を設けることで、さらに細かなコンテンツの削除、移動等の制御が可能である。
【０１２７】
また、それぞれの項目に優先度を設定することで、削除または移動するコンテンツの順位づけを行うことができる。
【０１２８】
また、各項目に合った条件を設定することで、録画対象を記録するために必要な容量が確保できない場合、ユーザが自動削除または移動すべきコンテンツを所望により設定できる。
【図面の簡単な説明】
【０１２９】
【図１】本発明の一実施形態のデジタルテレビジョン放送受信システムの概要構成を示す図である。
【図２】デジタルテレビジョン放送受信装置に記憶されているコンテンツ管理テーブルを示す図である。
【図３】デジタルテレビジョン放送受信装置による録画予約動作を示すフローチャートである。
【図４】デジタルテレビジョン放送受信装置による録画動作を示すフローチャートである。
【符号の説明】
【０１３０】
１０…ＬＡＮ（ローカルエリアネットワーク）、１１…デジタルテレビジョン放送受信装置、１４…映像表示器、１５…スピーカ、１６…操作部、１７…リモートコントローラ、１８…受光部、１９…メモリカード、２１…第１のＬＡＮ端子、２２…第２のＬＡＮ端子、２３…ＵＳＢ（Universal Serial Bus）端子、２４…IEEE1394端子、２５…外部ストレージ、４３…アンテナ、４４，４９…入力端子、４５，５０，５２…チューナ、４６…復調器、４７…信号処理部、４８…アンテナ、４９…入力端子、５１…復調器、５３…アナログ復調器、５４…グラフィック処理部、５５…音声処理部、５７…信号生成部、５８…映像処理部、５９…出力端子、６０…出力端子、６１…制御部、６４…不揮発性メモリ、６４ａ…性能リスト、６５…カードＩ／Ｆ（Interface）、６６…カードホルダ、６７…コンテンツ管理テーブル、６９，７０…通信Ｉ／Ｆ、７４…内蔵ストレージ、７５…内蔵ストレージコントローラ。
【図１】
2009009668.tif 000003
【図２】
2009009668.tif 000004
【図３】
2009009668.tif 000005
【図４】
2009009668.tif 000006